(57)【要約】【課題】画像品質の向上を図る。【解決手段】ＤＦＥ５０（情報処理装置）は、第１取得部５３５、第２取得部５３６、及び画像処理部５３８を備える。第１取得部５３５は、画素毎に有色の濃度値を規定した有色版データと、表面効果を与える効果領域及び表面効果の種類を規定した光沢制御版データと、を取得する。第２取得部５３６は、表面効果の種類と、有色版データに施す画像処理に用いるパラメータと、を対応づけた第１情報を取得する。画像処理部５３８は、有色版データにおける効果領域と重なる重複領域を構成する画素には、該画素に重なる効果領域の表面効果の種類に対応するパラメータを用いて画像処理を行う。【選択図】図８
2015094826.tif 000002
【特許請求の範囲】
【請求項１】
画素毎に有色の濃度値を規定した有色版データと、表面効果を与える効果領域及び前記表面効果の種類を規定した光沢制御版データと、を取得する第１取得部と、
前記表面効果の種類と、前記有色版データに施す画像処理に用いるパラメータと、を対応づけた第１情報を取得する第２取得部と、
前記有色版データにおける前記効果領域と重なる重複領域を構成する画素には、該画素に重なる前記効果領域の前記表面効果の種類に対応する前記パラメータを用いて画像処理を行う画像処理部と、
を備えた情報処理装置。
【請求項２】
前記第２取得部は、前記表面効果の種類と、前記有色版データにおける前記重複領域の色味に対する前記効果領域の影響を抑制するように予め定められた前記パラメータと、を対応づけた前記第１情報を取得する、請求項１に記載の情報処理装置。
【請求項３】
前記画像処理部は、前記有色版データの色空間を変換する色変換処理、同じ画素位置に付与する色材の総量が予め定めた総量規制値以下となるように濃度値を補正する総量規制処理、ガンマ補正処理、及びハーフトーン処理の内の少なくとも１つを前記画像処理として行う、請求項１または請求項２に記載の情報処理装置。
【請求項４】
前記画像処理部は、前記画像処理として少なくとも前記色変換処理を行い、
前記パラメータは、前記色変換処理に用いるプロファイルである、
請求項３に記載の情報処理装置。
【請求項５】
前記画像処理部は、前記画像処理として少なくとも前記ガンマ補正処理を行い、
前記パラメータは、前記ガンマ補正処理に用いるガンマ補正値である、
請求項３または請求項４に記載の情報処理装置。
【請求項６】
前記画像処理部は、前記画像処理として少なくとも前記総量規制処理を行い、
前記パラメータは、前記総量規制処理に用いる総量規制値である、
請求項３〜請求項５の何れか１項に記載の情報処理装置。
【請求項７】
前記画像処理部は、前記画像処理として少なくとも前記ハーフトーン処理を行い、
前記パラメータは、前記ハーフトーン処理に用いるスクリーンである、
請求項３〜請求項６の何れか１項に記載の情報処理装置。
【請求項８】
前記光沢制御版データは、画素毎に前記表面効果の種類に対応するクリアトナーの濃度値を規定することによって、前記効果領域及び前記表面効果の種類を規定したデータである、請求項３〜請求項７の何れか１項に記載の情報処理装置。
【請求項９】
前記第１情報は、前記光沢制御版データにおける前記表面効果の種類に対応する前記クリアトナーの濃度値が大きいほど大きいガンマ補正値を、前記画像処理としての前記ガンマ補正処理に用いる前記パラメータとして定めた、請求項８に記載の情報処理装置。
【請求項１０】
前記第１情報は、前記光沢制御版データにおける前記表面効果の種類に対応する前記クリアトナーの濃度値が大きいほど大きい総量規制値を、前記画像処理としての前記総量規制処理に用いる前記パラメータとして定めた、請求項８または請求項９に記載の情報処理装置。
【請求項１１】
前記第１情報は、前記光沢制御版データにおける前記表面効果の種類に対応する前記クリアトナーの濃度値が大きいほど網点の密度が高くなるように、前記画像処理としての前記ハーフトーン処理に用いるスクリーンを前記パラメータとして定めた、請求項８〜請求項１０の何れか１項に記載の情報処理装置。
【請求項１２】
画像形成対象の記録媒体の種類情報と、前記第１情報と、を対応づけて記憶した記憶部と、
前記種類情報を受け付ける受付部と、
を備え、
前記第２取得部は、該種類情報に対応する前記第１情報を取得する、
請求項１〜請求項１１の何れか１項に記載の情報処理装置。
【請求項１３】
前記画像処理部は、前記有色版データにおける前記重複領域以外の領域を構成する画素には、予め定めた初期パラメータを用いて画像処理を行う、請求項１〜請求項１２の何れか１項に記載の情報処理装置。
【請求項１４】
請求項１〜請求項１３の何れか１項に記載の情報処理装置を備えた情報処理システム。
【請求項１５】
画素毎に有色の濃度値を規定した有色版データと、表面効果を与える効果領域及び前記表面効果の種類を規定した光沢制御版データと、を取得するステップと、
前記表面効果の種類と、前記有色版データに施す画像処理に用いるパラメータと、を対応づけた第１情報を取得するステップと、
前記有色版データにおける前記効果領域と重なる重複領域を構成する画素には、該画素に重なる前記効果領域の前記表面効果の種類に対応する前記パラメータを用いて画像処理を行うステップと、
を含む情報処理方法。
【請求項１６】
コンピュータに、
画素毎に有色の濃度値を規定した有色版データと、表面効果を与える効果領域及び前記表面効果の種類を規定した光沢制御版データと、を取得するステップと、
前記表面効果の種類と、前記有色版データに施す画像処理に用いるパラメータと、を対応づけた第１情報を取得するステップと、
前記有色版データにおける前記効果領域と重なる重複領域を構成する画素には、該画素に重なる前記効果領域の前記表面効果の種類に対応する前記パラメータを用いて画像処理を行うステップと、
を実行させるプログラム。
【発明の詳細な説明】
【技術分野】
【０００１】
本発明は、情報処理装置、情報処理システム、情報処理方法およびプログラムに関する。
【背景技術】
【０００２】
ＣＭＹＫ等の有色トナーの他に、色材の入っていないクリアトナーを用いて画像を形成する装置が知られている。また、クリアトナーを用いて、記録媒体に光沢等の表面効果を与える技術が知られている。
【発明の概要】
【発明が解決しようとする課題】
【０００３】
しかしながら、従来では、有色トナーの付与される領域と、表面効果を与える効果領域と、が重なる場合、有色トナーのみを付与した場合とは異なる色味の画像が形成される、という問題があった。ここで、透明な記録媒体に画像を形成するときに、画像形成面側から観察することを目的とする場合と、画像形成面の反対側から観察することを目的とする場合と、でアウトプットプロファイルを切り替える技術が開示されている。しかしながら、この技術においても、表面効果を与える効果領域毎に色味を調整することは出来なかった。このため、従来では、画像品質が低下する、という問題があった。
【０００４】
本発明は、上記に鑑みてなされたものであって、画像品質の向上を図ることができる、情報処理装置、情報処理システム、情報処理方法およびプログラムを提供することを目的とする。
【課題を解決するための手段】
【０００５】
上述した課題を解決し、目的を達成するために、情報処理装置は、画素毎に有色の濃度値を規定した有色版データと、表面効果を与える効果領域及び前記表面効果の種類を規定した光沢制御版データと、を取得する第１取得部と、前記表面効果の種類と、前記有色版データに施す画像処理に用いるパラメータと、を対応づけた第１情報を取得する第２取得部と、前記有色版データにおける前記効果領域と重なる重複領域を構成する画素には、該画素に重なる前記効果領域の前記表面効果の種類に対応する前記パラメータを用いて画像処理を行う画像処理部と、を備える。
【発明の効果】
【０００６】
本発明によれば、画像品質の向上を図ることができる、という効果を奏する。
【図面の簡単な説明】
【０００７】
【図１】図１は、情報処理システムの構成を例示する図である。
【図２】図２は、有色版データの一例を示す図である。
【図３】図３は、表面効果の種類を例示する図である。
【図４】図４は、光沢制御版データの一例を示す図である。
【図５】図５は、濃度値選択テーブルの一例を示す図である。
【図６】図６は、図４の光沢制御版データにおける、描画オブジェクト、座標、濃度値との対応関係を示す図である。
【図７】図７は、印刷データの構成例を概念的に示す模式図である。
【図８】図８は、ＤＦＥの機能的構成を例示する図である。
【図９】図９は、テーブルのデータ構成を例示する図である。
【図１０】図１０は、ＭＩＣおよび印刷装置の構成を概念的に例示する図である。
【図１１】図１１は、色変換部が実行する画像処理の手順を示すフローチャートである。
【図１２】図１２は、色補正部が実行する画像処理の手順を示すフローチャートである。
【図１３】図１３は、ハーフトーン処理部が実行する画像処理の手順を示すフローチャートである。
【図１４】図１４は、ホスト装置、ＤＦＥのハードウェア構成図である。
【発明を実施するための形態】
【０００８】
以下に添付図面を参照して、情報処理装置、情報処理システム、情報処理方法およびプログラムの実施の形態を詳細に説明する。
【０００９】
（実施の形態１）
まず、実施の形態１に係る情報処理システムの構成について図１を用いて説明する。本実施の形態においては、情報処理システムは、プリンタ制御装置（ＤＦＥ：Ｄｉｇｉｔａｌ  Ｆｒｏｎｔ  Ｅｎｄ）５０（以下、「ＤＦＥ５０」という。ＤＦＥ５０は、情報処理装置に相当する。）と、インタフェースコントローラ（ＭＩＣ：Ｍｅｃｈａｎｉｓｍ  Ｉ／Ｆ  Ｃｏｎｔｏｒｏｌｌｅｒ）６０（以下、「ＭＩＣ６０」という。）と、プリンタ機７０と、後処理機としてグロッサ８０及び低温定着機９０と、が接続されて構成される。ＤＦＥ５０は、ＭＩＣ６０を介してプリンタ機７０と通信を行い、プリンタ機７０での画像の形成を制御する。また、ＤＦＥ５０には、ＰＣ（Ｐｅｒｓｏｎａｌ  Ｃｏｍｐｕｔｅｒ）等のホスト装置１０が接続されている。ＤＦＥ５０は、ホスト装置１０から印刷データを受信し、画像データを生成して、これを、ＭＩＣ６０を介してプリンタ機７０に送信する。プリンタ機７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。プリンタ機７０は、受信した画像データに基づいて、ＣＭＹＫの有色トナー及びクリアトナーに応じたトナー像を記録媒体に形成する。
【００１０】
なお、本実施の形態では、プリンタ機７０と、グロッサ８０および低温定着機９０と、によって印刷装置３０を構成している。
【００１１】
ここで、クリアトナーとは、記録媒体に表面効果を施すために用いるトナーである。クリアトナーには、例えば、透明な（無色の）トナーや、白色トナーがある。なお、透明（無色）とは、例えば、透過率が７０％以上であることを示す。本実施の形態では、クリアトナーとして、透明トナーを用いる場合を一例として説明する。しかし、クリアトナーとして、白色トナーを用いた形態であってもよい。
【００１２】
プリンタ機７０は、ＭＩＣ６０を介してＤＦＥ５０から送信された画像データに応じて、露光器から光ビームを照射して各トナーに応じたトナー像を感光体上に形成する。そして、このトナー像を記録媒体としての用紙に転写し、定着機によって所定の範囲内の温度（通常温度）での加熱及び加圧で定着させる。これによって用紙に画像が形成される。このようなプリンタ機７０の構成については周知であるため、詳細な説明は省略する。なお、用紙は記録媒体の一例であり、記録媒体はこれに限定されるものではない。例えば、記録媒体として、合成紙やビニール紙等も適用することができる。
【００１３】
グロッサ８０は、ＤＦＥ５０から指定されるオンオフ情報によりオン又はオフが制御される。グロッサ８０は、オンにされた場合に、プリンタ機７０により用紙に形成された画像を高温及び高圧で加圧し、その後、冷却して本体から画像が形成された用紙を剥離する。これにより用紙に形成された画像全体において所定以上のトナーが付着した各画素のトナーの総付着量は均一に圧縮される。低温定着機９０には、クリアトナー用の感光体、帯電器、現像器および感光体クリーナを含む作像ユニット、露光器及び当該クリアトナーを定着させるための定着機が搭載されており、低温定着機９０を用いるためにＤＦＥ５０が生成した後述のクリアトナー版の画像データ（以下、「クリアトナー版データ」という場合もある）が入力される。低温定着機９０は、当該低温定着機９０が用いるためのクリアトナー版データ（クリアトナー版データ）をＤＦＥ５０が生成した場合には、これを用いてクリアトナーによるトナー像を形成して、グロッサ８０が加圧した用紙上に当該トナー像を重ねて、定着機によって通常よりも低い加熱または加圧で用紙に定着させる。
【００１４】
ここで、ホスト装置１０から入力される印刷データ（原稿データ）について説明する。ホスト装置１０では、予めインストールされた画像処理アプリケーションにより印刷データが生成されて、ＤＦＥ５０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１５】
本実施の形態では、この特色としてのクリアトナーを、用紙に付与する視覚的または触覚的な効果である表面効果を形成するため、および、用紙に、上記表面効果以外のウォータマークやテクスチャ等の透明画像を形成するために用いる。
【００１６】
このため、ホスト装置１０の画像処理アプリケーションは、入力された画像データに対して、有色版の画像データ（以下、「有色版データ」という場合もある。）の他、特色版の画像データとして、ユーザの指定により、光沢制御版の画像データ（以下、「光沢制御版データ」という場合もある。）を生成する。
【００１７】
ここで、有色版データとは、画素毎にＲＧＢやＣＭＹＫ等の有色の濃度値を規定した画像データである。この有色版データでは、ユーザによる色の指定により、１画素を８ｂｉｔで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００１８】
また、光沢制御版データとは、用紙に付与する視覚的または触覚的な効果である表面効果に応じたクリアトナーを付着させる制御を行うため、当該表面効果の与えられる領域および当該表面効果の種類を規定した画像データである。
【００１９】
この光沢制御版データは、ＲＧＢやＣＭＹＫ等の有色版と同様に画素毎に８ｂｉｔで「０」〜「２５５」の範囲の濃度値で表され、この濃度値に、表面効果の種類が対応付けられる（濃度値は１６ビットや３２ｂｉｔ、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版データによって、表面効果の種類と、表面効果を与える効果領域とが表される（領域を表すデータを別途付与しても良い）。
【００２０】
ここで、ホスト装置１０は、ユーザが画像処理アプリケーションにより指定した描画オブジェクトに対する表面効果の種類を、描画オブジェクトごとに光沢制御値としての濃度値として設定してベクター形式の光沢制御版データを生成する。
【００２１】
この光沢制御版データを構成する各画素は、有色版データの画素に対応する。なお、各画像データ(光沢制御版データ、有色版データ)においては各画素の表す濃度値が画素値となる。また、有色版データ及び光沢制御版データは共にページ単位で構成される。
【００２２】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２３】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。
【００２４】
また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。
【００２５】
なお、処理対象の画像データによって表される画像のどの領域に表面効果を与えるのかや、その領域にどの種類の表面効果を与えるのか、については、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、表面効果を与える効果領域と、表面効果の種類を規定した光沢制御版データが生成される。濃度値と表面効果の種類との対応関係については後述する。
【００２６】
図４は、光沢制御版データの一例を示す説明図である。図４の光沢制御版データの例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図５参照）で、表面効果の種類に対応して定められた濃度値である。
【００２７】
このように、特色版の画像データである、光沢制御版データは、ホスト装置１０の画像処理アプリケーションにより、有色版データとは別のプレーンで生成される。また、有色版データ、及び光沢制御版データの各形式は、ＰＤＦ（Ｐｏｒｔａｂｌｅ  Ｄｏｃｕｍｅｎｔ  Ｆｏｒｍａｔ）形式が用いられるが、各版のＰＤＦの画像データを統合して印刷データとして生成される。なお、各版の画像データのデータ形式は、ＰＤＦに限定されるものではなく、任意の形式を用いることができる。
【００２８】
ここで、ホスト装置１０の画像処理アプリケーションは、ユーザが指定した表面効果の種類を、濃度値に変換して、光沢制御版データを生成する。かかる変換は、ホスト装置１０の記憶部に予め記憶された濃度値選択テーブルを参照して行われる。濃度値選択テーブルは、表面効果の種類と、当該表面効果の種類に対応する光沢制御版の濃度値とを対応付けたテーブルデータである。
【００２９】
図５は、濃度値選択テーブルの一例を示す図である。図５の例では、ユーザにより「ＰＧ」（鏡面光沢）が指定された領域に対応する光沢制御版の濃度値は「９８％」に相当する画素値であり、「Ｇ」（ベタ光沢）が指定された領域に対応する光沢制御版の濃度値は「９０％」に相当する画素値であり、「Ｍ」（網点マット）が指定された領域に対応する光沢制御版の濃度値は「１６％」に相当する画素値であり、「ＰＭ」（つや消し）が指定された領域に対応する光沢制御版の濃度値は「６％」に相当する画素値である。
【００３０】
この濃度値選択テーブルに格納されている表面効果の種類と濃度値との対応は、ＤＦＥ５０で記憶しているテーブル（後述、図９参照、第１情報に相当）に記述されている表面効果の種類と濃度値との対応と同じである。
【００３１】
ホスト装置１０の制御部が所定のタイミングでテーブル（第１情報）を取得して、取得したテーブル（第１情報）からの濃度値選択テーブルを生成して（コピーして）記憶部に保存する。ここで、図５では、濃度値選択テーブルの例を簡略化して示しているが、実際は、濃度値選択テーブルで規定されている表面効果の種類と濃度値との対応は、図９に示すテーブル（第１情報）で規定されている表面効果の種類と濃度値との対応と同一である。
【００３２】
なお、インターネット等のネットワーク上のストレージサーバ（クラウド）にテーブル（第１情報）を保存しておき、制御部が当該サーバからテーブル(第１情報)を取得して、取得したテーブル（第１情報）から濃度値選択テーブル生成（コピー）してもよい。ただし、ＤＦＥ５０で記憶しているテーブル（第１情報）とホスト装置１０の記憶部に保存されているテーブル（第１情報）と、における表面効果の種類と濃度値との対応は、同じである必要がある。
【００３３】
ホスト装置１０の画像処理アプリケーションは、図５に示す濃度値選択テーブルを参照しながら、ユーザにより所定の表面効果が指定された描画オブジェクト（すなわち、表面効果を与える効果領域）の濃度値（光沢制御値）を、当該表面効果の種類に対応する濃度値に設定することで、光沢制御版データを生成する。例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の濃度値を「９８％」に相当する画素値に設定し、「Ｇ」が指定された描画オブジェクト（「長方形」）の濃度値を「９０％」に相当する画素値に設定し、「Ｍ」が指定された描画オブジェクト（「円形」）の濃度値を「１６％」に相当する画素値に設定することで、光沢制御版データを生成する。ホスト装置１０で生成された光沢制御版データは、点の座標と、それを結ぶ線や面の方程式のパラメータ、および、塗り潰しや特殊効果などを示す描画オブジェクトの集合として表現されるベクター形式のデータである。図４は、この光沢制御版データをイメージとして示した図であり、図６は、図４の光沢制御版データにおいて、描画オブジェクト、座標、濃度値との対応関係を示す図である。
【００３４】
ホスト装置１０は、光沢制御版データと、対象画像の画像データ（有色版データ）と、クリア版データとを統合した原稿データを生成する。
【００３５】
そして、ホスト装置１０は、この原稿データに基づいて印刷データを生成する。印刷データは、対象画像の画像データ（有色版データ）と、光沢制御版データと、例えばプリンタの設定、集約の設定、両面の設定などをプリンタに対して指定するジョブコマンドと、を含んで構成される。
【００３６】
図７は、印刷データの構成例を概念的に示す模式図である。図７の例では、ジョブコマンドとして、ＪＤＦ（Ｊｏｂ  Ｄｅｆｉｎｉｔｉｏｎ  Ｆｏｒｍａｔ）が用いられているが、これに限られるものではない。図７に示すＪＤＦは、集約の設定として「片面印刷・ステープル有り」を指定するコマンドである。また、印刷データは、ＰｏｓｔＳｃｒｉｐｔ（登録商標）のようなページ記述言語（ＰＤＬ）に変換されてもよいし、ＤＦＥ５０が対応していれば、ＰＤＦ形式のままでもよい。
【００３７】
次に、ＤＦＥ５０の機能的構成について説明する。図８は、ＤＦＥ５０の機能的構成を示すブロック図である。ＤＦＥ５０は、情報処理装置に相当する。
【００３８】
ＤＦＥ５０は、レンダリング部５１０と、ｓｉ部５２０と、有色画像処理部５３０と、クリアプロセッシング５４０と、ｓｉ部５５０と、入力部５８と、表示部５９とを有する。レンダリング部５１０と、ｓｉ部５２０と、有色画像処理部５３０と、クリアプロセッシング５４０と、ｓｉ部５５０と、入力部５８と、表示部５９とは、ＤＦＥ５０の制御部が主記憶部や補助記憶部に記憶されている各種プログラムを実行することにより実現されるものである。
【００３９】
ＤＦＥ５０には、入力部５８及び表示部５９が接続されている。入力部５８は、キーボードやマウス等の入力デバイスである。表示部５９は、ディスプレイ装置等の表示デバイスである。
【００４０】
レンダリング部５１０は、ホスト装置１０から印刷データ（図７に示した印刷データ）を受信し、当該印刷データをレンダリングする。詳細には、レンダリング部５１０は、印刷データを言語解釈し、ベクター形式をラスター形式に変換する。レンダリング部５１０は、例えばＲＧＢ形式の各有色版データおよび光沢制御版データの版毎に、ベクター形式をラスター形式に変換する。なお、本実施の形態では、一例として、印刷データに含まれる有色版データはＲＧＢ形式である場合を説明するが、ＲＧＢ形式に限られない。これにより、レンダリング部５１０は、ＲＧＢ形式等で表現された各８ｂｉｔの有色版データ及び８ｂｉｔの光沢制御版データを生成する。
【００４１】
この結果、ＤＦＥ５０は、ユーザが画像処理アプリケーションにより指定した描画オブジェクト（すなわち、表面効果を与える効果領域）に対する表面効果の種類を、画素毎に濃度値として規定した光沢制御版データを出力する。
【００４２】
なお、レンダリング部５１０は、ある版の画像データ上に有効なデータがない場合、該当する版データの出力をしない。画像データを処理するレンダリング部５１０の後続の各部は、ある版の画像データの入力がない場合、その版の画像データは有効データがなしであるものとして動作する。
【００４３】
ＤＦＥ５０は、生成した、例えばＲＧＢ形式等で表現された各８ｂｉｔの有色版データ及び８ｂｉｔの光沢制御版データを、ｓｉ部５２０へ出力する。
【００４４】
ｓｉ部５２０は、画像データを分離する（ｓｅｐａｒａｔｅ）機能を有する。ｓｉ部５２０は、レンダリング部５１０から、例えばＲＧＢ形式等で表現された各８ｂｉｔの有色版データ及び８ｂｉｔの光沢制御版データを受け付ける。そして、ｓｉ部５２０は、例えばＲＧＢ形式等で表現された各８ｂｉｔの有色版データ及び８ｂｉｔの光沢制御版データを有色画像処理部５３０へ出力する。また、ｓｉ部５２０は、８ｂｉｔの光沢制御版データを、クリアプロセッシング５４０へ出力する。
【００４５】
有色画像処理部５３０は、有色版データについて各種画像処理を実行する。クリアプロセッシング５４０は、光沢制御版データについて画像処理を実行する。
【００４６】
まず、クリアプロセッシング５４０について説明する。クリアプロセッシング５４０は、記憶部５４０Ａ、生成部５４０Ｂ、受付部５４０Ｃ、読取部５４０Ｄ、及び記憶部５４０Ｅを備える。
【００４７】
記憶部５４０Ａは、ｓｉ部５２０から受け付けた８ｂｉｔの光沢制御版データを記憶する。また、クリアプロセッシング５４０には、有色画像処理部５３０でガンマ補正処理及び総量規制処理の施されたＣＭＹＫの８ｂｉｔの有色版データが入力される（詳細後述）。記憶部５４０Ａは、このＣＭＹＫの８ｂｉｔの有色版データも記憶する。
【００４８】
記憶部５４０Ｅは、記録媒体の種類を示す種類情報毎に、テーブルを記憶する。このテーブルは、請求項における第１情報に相当する。テーブルは、表面効果の種類と、有色版データに施す画像処理に用いるパラメータと、の対応関係を示すデータである。本実施の形態では、テーブルは、表面効果の種類と、表面効果の種類に対応する濃度値と、有色版データに施す画像処理に用いるパラメータと、情報処理システムの構成に応じた後処理機に関する制御情報と、プリンタ機７０で用いるクリアトナー版データ及び後処理機で用いるクリアトナー版データと、の対応関係を示す。なお、本実施の形態では、第１情報は、テーブル形式で記憶される場合を説明するが、表面効果の種類と、有色版データに施す画像処理に用いるパラメータと、の対応関係を示すデータであればよく、テーブル形式に限定されない。
【００４９】
種類情報は、画像形成対象となる様々な記録媒体を、透明度及び色材の滲みやすさに応じて複数種類に予め分類した各グループを一意に識別する情報である。
【００５０】
なお、本実施の形態では、テーブルは、表面効果の種類と、表面効果の種類に対応する濃度値と、有色版データに施す画像処理に用いるパラメータと、情報処理システムの構成に応じた後処理機に関する制御情報と、プリンタ機７０で用いるクリアトナー版データ及び後処理機で用いるクリアトナー版データと、の対応関係を示す場合を説明するが、２以上のテーブルに分けて記憶部５４０Ｅに記憶してもよい。
【００５１】
例えば、表面効果の種類、表面効果の種類に対応する濃度値、及び有色版データに施す画像処理に用いるパラメータの対応関係を示すテーブル（第１テーブルと称する）と、表面効果の種類、表面効果の種類に対応する濃度値、情報処理システムの構成に応じた後処理機に関する制御情報、及びプリンタ機７０で用いるクリアトナー版データ及び後処理機で用いるクリアトナー版データの対応関係を示すテーブル（第２テーブル）と、の２つのテーブルを記憶部５４０Ｅに記憶してもよい。
【００５２】
この場合、種類情報に対応させて、上記第１テーブルを記憶すればよい。
【００５３】
また、テーブルまたは第２テーブルは、異なる情報処理システムの構成毎に、後処理機に関する制御情報と、プリンタ機７０で用いるクリアトナー版１の画像データ及び後処理機で用いるクリアトナー版２の画像データと、濃度値及び表面効果の種類との対応関係を示すように構成され得る。図９では、本実施の形態に係る情報処理システムの構成に応じたデータ構成を例示している。
【００５４】
情報処理システムの構成は、様々に異なり得るが、本実施の形態においては、プリンタ機７０に後処理機としてグロッサ８０及び低温定着機９０が接続される構成である。このため、情報処理システムの構成に応じた後処理機に関する制御情報とは、グロッサ８０のオン又はオフを示すオンオフ情報となる。また、後処理機で用いるクリアトナー版データとしては、低温定着機９０で用いるクリアトナー版データがある。
【００５５】
図９は、テーブルのデータ構成を例示する図である。図９に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。なお、この濃度率は、図４及び図５では、濃度値として表現しているが、同じ意味である。
【００５６】
具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００５７】
図９のテーブルを例にあげてより具体的に説明すると、例えば、「２３８」〜「２５５」の画素値に対しては表面効果として鏡面光沢（ＰＭ：Ｐｒｅｍｉｕｍ  Ｇｒｏｓｓ）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。
【００５８】
また、「２１２」〜「２３２」の画素値に対しては、ベタ光沢（Ｇ：Ｇｒｏｓｓ）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。
【００５９】
また、「２３」〜「４３」の画素値に対しては、網点マット（Ｍ：Ｍａｔｔ）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（ＰＭ：Ｐｒｅｍｉｕｍ  Ｍａｔｔ）が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や低温定着機９０で使用するクリアトナー版データを求める式に違いがあり、プリンタ本体や後処理機の動作は同じである。なお、「０」の濃度値には、表面効果を与えないことが対応付けられている。
【００６０】
また、図９には、表面効果の種類に対応して、グロッサ８０のオン又はオフを示すオンオフ情報と、プリンタ機７０で用いるクリアトナー版１の画像データ及び低温定着機９０で用いるクリアトナー版２の画像データの内容とが各々示されている。例えば、表面効果の種類が鏡面光沢である場合、グロッサ８０をオンにすることが示されると共に、プリンタ機７０で用いるクリアトナー版１の画像データは、インバースマスクを表すものであり、低温定着機９０で用いるクリアトナー版２の画像データは、ないことが示されている。
【００６１】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００６２】
Ｃｌｒ＝１００−（Ｃ＋Ｍ＋Ｙ＋Ｋ）  但し、Ｃｌｒ＜０となる場合、Ｃｌｒ＝０
・・・（式１）
【００６３】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。
【００６４】
このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００６５】
例えば、インバースマスクは、各画素にクリアトナーを均一に付着させるものであってもよい。この場合のインバースマスクは、ベタマスクともいい、以下の式２で表される。
Ｃｌｒ＝１００・・・（式２）
【００６６】
なお、表面効果を与える対象の画素の中でも、１００％以外の濃度率が対応付けられるものがあるようにしても良く、ベタマスクのパターンは複数有り得る。
【００６７】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・（式３）
【００６８】
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００６９】
また、例えばインバースマスクは、最大面積率の網点が平滑性を律すると仮定した方法により求められるものであってもよい。この場合のインバースマスクは、例えば以下の式４で表される。
Ｃｌｒ＝１００−ｍａｘ（Ｃ，Ｍ，Ｙ，Ｋ）・・・（式４）
【００７０】
上記式４において、ｍａｘ（Ｃ，Ｍ，Ｙ，Ｋ）は、ＣＭＹＫのうち最大の濃度値を示す色の濃度値が代表値となることを示す。
【００７１】
要するに、インバースマスクは、上記式１〜式４の何れかの式により表されるものであればよい。
【００７２】
図９に戻り、図９に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００７３】
また、濃度値が「２２８」〜「２３２」であり表面効果がベタ光沢である場合、グロッサ８０をオフにすることが示されていると共に、プリンタ機７０で用いるクリアトナー版１の画像データは、インバースマスク１であり、低温定着機９０で用いるクリアトナー版２の画像データは、ないことが示されている。なお、当該インバースマスク１は、式１〜式４の何れかの式により表されるものであればよい。これはグロッサ８０がオフなので平滑化されるトナーの総付着量が異なるため、鏡面光沢により表面の凹凸が増え、その結果、鏡面光沢により光沢度が低いベタ光沢が得られる。
【００７４】
また、表面効果が網点マットである場合、グロッサ８０をオフにすることが示されていると共に、プリンタ機７０で用いるクリアトナー版１の画像データは、ハーフトーン（網点）を表すものであり、低温定着機９０で用いるクリアトナー版２の画像データは、ないことが示されている。また、表面効果がつや消しである場合、グロッサ８０をオン又はオフのいずれにしても良いことが示されていると共に、プリンタ機７０で用いるクリアトナー版１の画像データは、なく、低温定着機９０で用いるクリアトナー版２の画像データは、ベタマスクを表すものであることが示されている。当該ベタマスクは、例えば上述の式２により求められるものである。
【００７５】
次に、テーブル（図９参照）における、表面効果の種類、表面効果の種類に対応する濃度値、及び有色版データに施す画像処理に用いるパラメータの対応関係について説明する。
【００７６】
表面効果の種類、及び表面効果の種類の対応する濃度値（濃度率、代表値、数値範囲）は上述したため省略する。パラメータは、有色版データに施す画像処理に用いるパラメータである。テーブルには、有色版データにおける、表面効果の与えられる効果領域に重複する重複領域の色味に対する、効果領域の影響を抑制するように、有色版データを構成する画素の濃度値（画素値）を画像処理時に調整するためのパラメータが予め設定されている。本実施の形態では、有色画像処理部５３０が実行する画像処理の種類毎に、各種類の画像処理で用いるパラメータが予め設定されている。
【００７７】
本実施の形態では、テーブルには、パラメータとして、プロファイル、スクリーン、ガンマ補正値、総量規制値が規定されている。
【００７８】
プロファイルは、ＲＧＢ等の有色版データの色空間を、印刷装置３０が使用する有色トナーの色によって表現される色空間に変換するための色変換ルックアップテーブルである。本実施の形態では、プロファイルは、ＲＧＢの有色版データの色空間を、ＣＭＹＫの色空間に変換するための色変換ルックアップテーブルである場合を説明する。
【００７９】
スクリーンは、ハーフトーン処理時に用いるパラメータである。スクリーンには、スクリーン線数、網点の大きさ、スクリーン角度、網点形状等がある。本実施の形態では、スクリーンとして、スクリーン線数及び網点の大きさを用いる場合を説明するが、これに限定されない。
【００８０】
ガンマ補正値は、有色版データに、画像処理としてガンマ補正処理を施すときに用いる補正値である。総量規制値は、有色版データについて総量規制処理を施すときに用いる規制値である。総量規制処理とは、同じ画素位置に付与する色材の総量が、予め定めた総量規制値以下となるように濃度値を補正する処理である。総量規制処理は、印刷装置３０で載せることが可能なトナー量に限界があるために行う処理である。総量規制値以下となるように、有色版データの各画素の濃度値を調整することで、転写不良や定着不良による画質劣化を抑制することができる。
【００８１】
テーブルに規定されているパラメータの値は、有色版データにおける、表面効果を与える効果領域と重なる重複領域の色が、表面効果の種類に拘らず、効果領域と重ならない場合と同じ色味を実現可能となるように、表面効果の種類（表面効果の種類に対応する濃度値）毎に予め定められている。
【００８２】
具体的には、クリアトナーの濃度値が大きいほど、クリアトナーによって形成される光沢領域に重なる有色トナーによる重複領域への色味の影響が大きくなる。
【００８３】
このため、クリアトナーの濃度値を段階的に変えたテストチャートを予め形成する。そして、このテストチャートの測色結果を用いて、クリアトナーの濃度によって、重ねて付与される有色トナーの色味が変動しないように、クリアトナーの濃度値（すなわち、表面効果の種類）に対応するプロファイルを予め作成する。そして、テーブルには、表面効果の種類（クリアトナーの濃度値）に対応して、作成したプロファイルを予め設定する。
【００８４】
なお、テーブルは、重ねて付与しても有色トナーの色味に影響を与えない程度に低い、クリアトナーの濃度値には、初期設定値として、予め定めた初期パラメータとしての初期プロファイルを対応づけている。この初期プロファイルは、表面効果を与える効果領域と重なる重複領域以外の領域を構成する画素の色変換処理に用いるプロファイルである。
【００８５】
また、テーブルは、クリアトナーの濃度値が大きいほど、網点の密度が高くなるように、表面効果の種類（すなわち、クリアトナーの濃度値）に対応する、ハーフトーン処理に用いるスクリーン（スクリーン線数、網点の大きさ、スクリーン角度、網点形状等）を定めている。
【００８６】
なお、テーブルは、重ねて付与しても有色トナーの色味に影響を与えない程度に低い、クリアトナーの濃度値には、初期設定値として、予め定めた初期パラメータとしての初期スクリーンを対応づけている。この初期スクリーンは、表面効果を与える効果領域と重なる重複領域以外の領域を構成する画素のスクリーン処理に用いるスクリーンである。有色版データに用いる初期スクリーンは、光沢制御版データのハーフトーン処理時に用いるスクリーンと干渉しないように、スクリーン角をずらすように予め調整されていることが好ましい。これにより、画質の安定化を図ることができる。
【００８７】
また、テーブルは、クリアトナーの濃度値が大きいほど、ガンマ補正値が大きくなるように、表面効果の種類（すなわち、クリアトナーの濃度値）に対応するガンマ補正値を定めている。また、テーブルは、重ねて付与しても有色トナーの色味に影響を与えない程度に低い、クリアトナーの濃度値には、初期設定値として、予め定めた初期パラメータとしての初期ガンマ補正値を対応づけている。この初期ガンマ補正値は、重ねて付与しても有色トナーの色味に影響を与えない程度に低い、クリアトナーの濃度値に対応するガンマ補正値以下であることが好ましい。
【００８８】
また、テーブルは、クリアトナーの濃度値が大きいほど、総量規制値が大きくなるように、表面効果の種類（すなわち、クリアトナーの濃度値）に対応する総量規制値を定めている。また、テーブルは、重ねて付与しても有色トナーの色味に影響を与えない程度に低い、クリアトナーの濃度値には、初期設定値として、予め定めた初期パラメータとしての初期総量規制値を対応づけている。この初期総量規制値は、重ねて付与しても有色トナーの色味に影響を与えない程度に低い、クリアトナーの濃度値に対応する総量規制値以下であることが好ましい。
【００８９】
また、これらのパラメータの値は、記録媒体の種類毎に、記録媒体の種類が異なっても同じ色味が再現されるように、予め定められている。すなわち、種類情報に対応するテーブルに格納されているパラメータの値は、対応する種類情報によって識別される記録媒体に有色画像を形成したときに、記録媒体の種類に拘らず同じ色味を実現出来るように、予め調整されたものである。
【００９０】
具体的には、記録媒体の不透明度が高い（透明度が低い）ほど、同じ表面効果の種類に重なる画素であっても、記録媒体に付与される１画素あたりの有色トナー（ＣＭＹＫのトナー）の量が多くなるように、記録媒体の種類情報に応じて、有色版データの色変換処理に用いるプロファイルを予め調整する。このプロファイルを用いて、有色画像処理部５３０が後述する色変換処理をＲＧＢ等の有色版データに施すことで、記録媒体の不透明度が高いために有色トナーによって形成された有色画像が曇って見栄えが悪くなる、といった画像品質の劣化を抑制することができる。
【００９１】
また、色材の滲みやすい記録媒体であるほど、同じ表面効果の種類に重なる画素であっても、線数が低くなるように、記録媒体の種類情報に応じて、有色版データのハーフトーン処理に用いるスクリーンの値を予め調整する。このスクリーンを用いて、有色画像処理部５３０が後述するハーフトーン処理を有色版データに施すことで、網点間の滲みによって画像品質が劣化することを抑制することができる。
【００９２】
図８に戻り、生成部５４０Ｂは、記憶部５４０Ａに記憶された光沢制御版データを用いて、記憶部５４０Ｅに記憶されているテーブルを参照して、光沢制御版データを構成する各画素の表す濃度値（画素値）に対する表面効果の種類を判断する。そして、生成部５４０Ｂは、当該判断に応じて、グロッサ８０のオン又はオフを決定する。また、生成部５４０Ｂは、詳細を後述する有色画像処理部５３０から受け付けた、ＣＭＹＫの８ｂｉｔの有色版データを用いて、インバースマスクやベタマスクを適宜生成することにより、クリアトナー版データを生成する。
【００９３】
すなわち、生成部５４０Ｂは、光沢制御版データに対する表面効果の種類の判断結果に応じて、プリンタ機７０用の８ｂｉｔのクリアトナー版データと、低温定着機９０用の８ｂｉｔクリアトナー版データとを適宜生成する。さらに、生成部５４０Ｂは、これらのプリンタ機７０用の８ｂｉｔのクリアトナー版データと、低温定着機９０用の８ｂｉｔクリアトナー版データと、についてハーフトーン処理を行い、プリンタ機７０で用いる２ｂｉｔのクリアトナー版データと、低温定着機９０で用いる２ｂｉｔのクリアトナー版データと、を生成する。なお、２ｂｉｔのクリアトナー版データの生成（すなわちハーフトーン処理）に用いるスクリーンには、クリアトナー版データの生成用に予め記憶したスクリーンを用いる。なお、２ｂｉｔは一例であり、これに限定されるものではない。
【００９４】
そして、生成部５４０Ｂは、プリンタ機７０で用いる２ｂｉｔのクリアトナー版データと、低温定着機９０で用いる２ｂｉｔクリアトナー版データと、グロッサ８０のオン又はオフを示すオンオフ情報と、をｓｉ部５５０へ出力する。
【００９５】
受付部５４０Ｃは、画像形成対象の記録媒体の種類情報を受け付ける。受付部５４０Ｃは、例えば、印刷装置３０に設けられたセンサから種類情報を受信することで、種類情報を受け付ける。この場合、印刷装置３０には、印刷装置３０で形成対象の記録媒体の種類を識別するセンサを搭載し、このセンサをＤＦＥ５０に電気的に接続すればよい。また、受付部５４０Ｃは、入力部５８から種類情報を受信することで、種類情報を受け付けてもよい。例えば、ユーザの操作指示によって、入力部５８が記録媒体の種類情報を受信する。入力部５８は、受信した種類情報を受付部５４０Ｃへ出力する。受付部５４０Ｃは、種類情報を入力部５８から受信することで、種類情報を受け付ける。
【００９６】
読取部５４０Ｄは、受付部５４０Ｃから受け付けた種類情報に対応するテーブルを記憶部５４０Ｅから読取り、有色画像処理部５３０へ出力する。なお、読取部５４０Ｄは、テーブルにおける、受付部５４０Ｃから受け付けた種類情報に対応する第１テーブルで規定されている情報（表面効果の種類、表面効果の種類に対応する濃度値、及び有色版データに施す画像処理に用いるパラメータの対応関係）を少なくとも有色画像処理部５３０へ出力すればよい。すなわち、読取部５４０Ｄは、記憶部５４０Ｅに記憶されている種類情報に対応するテーブルにおける、第２テーブルで規定される情報（後処理機に関する制御情報、及びプリンタ機７０で用いるクリアトナー版データ及び後処理機で用いるクリアトナー版データ）については、有色画像処理部５３０へ出力しなくてもよい。
【００９７】
次に、有色画像処理部５３０について詳細に説明する。有色画像処理部５３０は、ＲＧＢ形式等で表現された各８ｂｉｔの有色版データ及び８ｂｉｔの光沢制御版データをｓｉ部５２０から受信する。有色画像処理部５３０は、有色版データに画像処理を実行する。
【００９８】
有色画像処理部５３０は、第１取得部５３５と、第２取得部５３６と、記憶部５３７と、画像処理部５３８と、を備える。
【００９９】
第１取得部５３５は、有色版データと、光沢制御版データと、を取得する。第２取得部５３６は、クリアプロセッシング５４０からテーブルを取得する。このテーブルは、上述したように、記憶部５４０Ｅに記憶されている、形成対象の記録媒体の種類情報に対応するテーブルであって、少なくとも上記第１テーブルで規定されている情報（表面効果の種類、表面効果の種類に対応する濃度値、及び有色版データに施す画像処理に用いるパラメータ、の対応関係）を含んでいればよい。
【０１００】
なお、有色画像処理部５３０に、濃度値と表面効果の種類とを対応づけた第３テーブルを予め記憶し、第１取得部５３５は、テーブルとして、表面効果の種類または表面効果の種類に対応する濃度値と、有色版データに施す画像処理に用いるパラメータと、の対応関係を示す情報を、クリアプロセッシング５４０から取得してもよい。
【０１０１】
記憶部５３７は、予め初期パラメータを記憶する。初期パラメータは、上述したように、初期プロファイル、初期スクリーン、初期ガンマ補正値、初期総量規制値である。また、記憶部５３７は、第２取得部５３６で取得したテーブルを記憶する。記憶部５３７は、第２取得部５３６が新たにテーブルを取得する度に、記憶しているテーブルを新たに取得したテーブルで上書きする。
【０１０２】
画像処理部５３８は、有色版データに対して、各種画像処理を実行する。画像処理部５３８は、有色版データにおける、光沢制御版データによって規定される表面効果を与える効果領域と重なる重複領域を構成する画素には、該画素に重なる効果領域の表面効果の種類に対応するパラメータを用いて画像処理を行う。また、画像処理部５３８は、有色版データにおける、重複領域以外の領域を構成する画素には、予め定めた初期パラメータを用いて画像処理を行う。
【０１０３】
本実施の形態では、有色画像処理部５３０は、画像処理として、色変換処理、総量規制処理、ガンマ補正処理、及びハーフトーン処理を実行する。なお、有色画像処理部５３０が実行する画像処理は、これらの画像処理に限定されない。また、有色画像処理部５３０が実行する画像処理は、色変換処理、総量規制処理、ガンマ補正処理、及びハーフトーン処理の内の少なくとも１つであってもよい。
【０１０４】
本実施の形態では、一例として、有色画像処理部５３０は、画像処理として、色変換処理、総量規制処理、ガンマ補正処理、及びハーフトーン処理を実行する場合を説明する。そして、有色画像処理部５３０は、各画像処理を実行する機能部を備える。
【０１０５】
本実施の形態では、有色画像処理部５３０は、画像処理を行う機能部として、色変換部５３１、色補正部５３２、及びハーフトーン処理部５３３を備える。そして、各色変換部５３１、色補正部５３２、及びハーフトーン処理部５３３が、第１取得部５３５、第２取得部５３６、記憶部５３７、及び画像処理部５３８を備える。なお、有色画像処理部５３０は、更にｓｉ部５３４を備えている。
【０１０６】
色変換部５３１は、色変換処理を実行する。色変換部５３１は、第１取得部５３５Ａ、第２取得部５３６Ａ、記憶部５３７Ａ、及び画像処理部５３８Ａを備える。これらの第１取得部５３５Ａ、第２取得部５３６Ａ、記憶部５３７Ａ、及び画像処理部５３８Ａは、各々、上述した第１取得部５３５、第２取得部５３６、記憶部５３７、及び画像処理部５３８と同様の機能を有する。
【０１０７】
詳細には、第１取得部５３５Ａは、ｓｉ部５２０から、例えばＲＧＢ形式等で表現された各８ｂｉｔの有色版データ、及び８ｂｉｔの光沢制御版データを受け付ける。
【０１０８】
第２取得部５３６Ａは、クリアプロセッシング５４０から上記テーブルを取得する。なお、第２取得部５３６Ａは、形成対象の記録媒体の種類情報に対応するテーブルであって、少なくとも上記第１テーブルで規定されている情報の内、表面効果の種類、表面効果の種類に対応する濃度値、及び画像処理としての色変換処理に用いるパラメータであるプロファイル、の対応関係を取得すればよい。以下、第１テーブルにおける、表面効果の種類、表面効果の種類に対応する濃度値、及びプロファイル、の対応関係を、第１Ａテーブルと称して説明する。
【０１０９】
画像処理部５３８Ａは、第１取得部５３５Ａで受け付けた、例えばＲＧＢ形式等で表現された各８ｂｉｔの有色版データを、ＣＭＹＫの色空間に変換する。具体的には、画像処理部５３８Ａは、第１取得部５３５Ａで取得した、ＲＧＢ形式等で表現された８ｂｉｔの有色版データと、第２取得部５３６Ａで取得した、光沢制御版データと、を読取る。
【０１１０】
次に、画像処理部５３８Ａは、ＲＧＢ形式等で表現された８ｂｉｔの有色版データにおける、光沢制御版データによって規定される効果領域と重なる重複領域を構成する画素には、該画素に重なる効果領域の表面効果の種類に対応するプロファイルを用いて、色変換処理を実行する。なお、画像処理部５３８Ａは、光沢制御版データにおける、有色版データの重複領域を構成する画素と同じ画素位置の画素値（濃度値）によって規定される表面効果の種類に対応するプロファイルを、第２取得部５３６Ａで取得したテーブルから読取ることによって、効果領域の種類に対応するプロファイルを取得する。
【０１１１】
また、画像処理部５３８Ａは、ＲＧＢ形式等で表現された８ｂｉｔの有色版データにおける、光沢制御版データによって規定される効果領域と重なる重複領域以外の領域を構成する画素には、記憶部５３７Ａに記憶されている初期プロファイルを用いて色変換処理を実行する。
【０１１２】
このように、画像処理部５３８Ａは、ＲＧＢ形式等で表現された８ｂｉｔの有色版データにおける、光沢制御版データによって規定される効果領域と重なる重複領域を構成する画素に対して、該画素に重なる効果領域の種類に対応するプロファイルを用いた色変換処理を実行する。ＲＧＢ形式等で表現された８ｂｉｔの有色版データに色変換処理が施されることで、ＣＭＹＫの各８ｂｉｔの有色版データが得られる。
【０１１３】
画像処理部５３８Ａは、色変換処理によって得られたＣＭＹＫの８ｂｉｔの有色版データを、色補正部５３２へ出力する。また、画像処理部５３８Ａは、ｓｉ部５２０から取得した８ｂｉｔの光沢制御版データを、色補正部５３２へ出力する。
【０１１４】
色補正部５３２は、ガンマ補正処理及び総量規制処理を実行する。色補正部５３２は、第１取得部５３５Ｂ、第２取得部５３６Ｂ、記憶部５３７Ｂ、及び画像処理部５３８Ｂを備える。これらの第１取得部５３５Ｂ、第２取得部５３６Ｂ、記憶部５３７Ｂ、及び画像処理部５３８Ｂは、各々、上述した第１取得部５３５、第２取得部５３６、記憶部５３７、及び画像処理部５３８と同様の機能を有する。
【０１１５】
詳細には、第１取得部５３５Ｂは、色変換部５３１から、ＣＭＹＫの各８ｂｉｔの有色版データ、及び８ｂｉｔの光沢制御版データを受け付ける。
【０１１６】
第２取得部５３６Ｂは、クリアプロセッシング５４０から上記テーブルを取得する。なお、第２取得部５３６Ｂは、形成対象の記録媒体の種類情報に対応するテーブルであって、少なくとも上記第１テーブルで規定されている情報の内、表面効果の種類、表面効果の種類に対応する濃度値、及び画像処理としてのガンマ補正処理及び総量規制処理に用いるパラメータであるガンマ補正値及び総量規制値、の対応関係を取得すればよい。以下、第１テーブルにおける、表面効果の種類、表面効果の種類に対応する濃度値、及び画像処理としてのガンマ補正処理及び総量規制処理に用いるパラメータであるガンマ補正値及び総量規制値、の対応関係を、第１Ｂテーブルと称して説明する。
【０１１７】
画像処理部５３８Ｂは、第１取得部５３５Ｂで受け付けた、ＣＭＹＫの各８ｂｉｔの有色版データについて、ガンマ補正処理を行う。
【０１１８】
具体的には、画像処理部５３８Ｂは、第１取得部５３５Ｂで取得した、ＣＭＹＫの８ｂｉｔの有色版データと、第２取得部５３６Ｂで取得した、光沢制御版データと、を読取る。
【０１１９】
次に、画像処理部５３８Ｂは、ＣＭＹＫの８ｂｉｔの有色版データにおける、光沢制御版データによって規定される効果領域と重なる重複領域を構成する画素には、該画素に重なる効果領域の表面効果の種類に対応するガンマ補正値を用いて、ガンマ補正処理を実行する。なお、画像処理部５３８Ｂは、光沢制御版データにおける、有色版データの重複領域を構成する画素と同じ画素位置の画素値（濃度値）によって規定される表面効果の種類に対応するガンマ補正値を、第２取得部５３６Ｂで取得したテーブルから読取ることによって、効果領域の種類に対応するガンマ補正値を取得する。
【０１２０】
また、画像処理部５３８Ｂは、ＣＭＹＫの８ｂｉｔの有色版データにおける、光沢制御版データによって規定される効果領域と重なる重複領域以外の領域を構成する画素には、記憶部５３７Ｂに記憶されている初期ガンマ補正値を用いてガンマ補正処理を実行する。
【０１２１】
このように、画像処理部５３８Ｂは、ＣＭＹＫの８ｂｉｔの有色版データにおける、光沢制御版データによって規定される効果領域と重なる重複領域を構成する画素に対して、該画素に重なる効果領域の種類に対応するガンマ補正値を用いたガンマ補正処理を実行する。
【０１２２】
次に、画像処理部５３８Ｂは、ガンマ補正処理後のＣＭＹＫの８ｂｉｔの有色版データに対して、総量規制処理を実行する。
【０１２３】
具体的には、画像処理部５３８Ｂは、ガンマ補正処理後のＣＭＹＫの８ｂｉｔの有色版データと、第２取得部５３６Ｂで取得した、光沢制御版データと、を読取る。
【０１２４】
次に、画像処理部５３８Ｂは、ガンマ補正処理後のＣＭＹＫの８ｂｉｔの有色版データにおける、光沢制御版データによって規定される効果領域と重なる重複領域を構成する画素には、該画素に重なる効果領域の表面効果の種類に対応する総量規制値を用いて、総量規制処理を実行する。なお、画像処理部５３８Ｂは、光沢制御版データにおける、有色版データの重複領域を構成する画素と同じ画素位置の画素値（濃度値）によって規定される表面効果の種類に対応する総量規制値を、第２取得部５３６Ｂで取得したテーブルから読取ることによって、効果領域の種類に対応する総量規制値を取得する。
【０１２５】
また、画像処理部５３８Ｂは、ガンマ補正処理後のＣＭＹＫの８ｂｉｔの有色版データにおける、光沢制御版データによって規定される効果領域と重なる重複領域以外の領域を構成する画素には、記憶部５３７Ｂに記憶されている初期総量規制値を用いて総量規制処理を実行する。
【０１２６】
このように、画像処理部５３８Ｂは、ガンマ補正処理後のＣＭＹＫの８ｂｉｔの有色版データにおける、光沢制御版データによって規定される効果領域と重なる重複領域を構成する画素に対して、該画素に重なる効果領域の種類に対応する総量規制値を用いた総量規制処理を実行する。
【０１２７】
これにより、ＣＭＹＫの各８ｂｉｔの有色版データに対して、ガンマ補正処理及び総量規制処理が施される。
【０１２８】
画像処理部５３８Ｂは、ガンマ補正処理及び総量規制処理後の、ＣＭＹＫの８ｂｉｔの有色版データを、ｓｉ部５３４へ出力する。また、画像処理部５３８Ｂは、色変換部５３１から受け付けた８ｂｉｔの光沢制御版データを、ｓｉ部５３４へ出力する。
【０１２９】
ｓｉ部５３４は、画像データを分離する（ｓｅｐａｒａｔｅ）機能を有する。ｓｉ部５３４は、画像処理部５３８Ｂから受け付けた、ガンマ補正処理及び総量規制処理後の、ＣＭＹＫの８ｂｉｔの有色版データを、ハーフトーン処理部５３３へ出力する。また、ｓｉ部５３４は、色補正部５３２から受け付けた８ｂｉｔの光沢制御版データを、ハーフトーン処理部５３３へ出力する。
【０１３０】
また、ｓｉ部５３４は、画像処理部５３８Ｂから受け付けた、ガンマ補正処理及び総量規制処理後の、ＣＭＹＫの８ｂｉｔの有色版データを、インバースマスクを生成するためのデータとして、クリアプロセッシング５４０へ出力する。
【０１３１】
次に、ハーフトーン処理部５３３について説明する。ハーフトーン処理部５３３は、ハーフトーン処理を実行する。ハーフトーン処理部５３３は、第１取得部５３５Ｃ、第２取得部５３６Ｃ、記憶部５３７Ｃ、及び画像処理部５３８Ｃを備える。これらの第１取得部５３５Ｃ、第２取得部５３６Ｃ、記憶部５３７Ｃ、及び画像処理部５３８Ｃは、各々、上述した第１取得部５３５、第２取得部５３６、記憶部５３７、及び画像処理部５３８と同様の機能を有する。
【０１３２】
詳細には、第１取得部５３５Ｃは、ｓｉ部５３４から、ガンマ補正処理及び総量規制処理後の、ＣＭＹＫの８ｂｉｔの有色版データ、及び８ｂｉｔの光沢制御版データを受け付ける。
【０１３３】
第２取得部５３６Ｃは、クリアプロセッシング５４０から上記テーブルを取得する。なお、第２取得部５３６Ｃは、形成対象の記録媒体の種類情報に対応するテーブルであって、少なくとも上記第１テーブルで規定されている情報の内、表面効果の種類、表面効果の種類に対応する濃度値、及び画像処理としてのハーフトーン処理に用いるパラメータであるスクリーン、の対応関係を取得すればよい。以下、第１テーブルにおける、表面効果の種類、表面効果の種類に対応する濃度値、及びスクリーン、の対応関係を、第１Ｃテーブルと称して説明する。
【０１３４】
画像処理部５３８Ｃは、第１取得部５３５Ｃで受け付けた、ガンマ補正処理及び総量規制処理後の、ＣＭＹＫの８ｂｉｔの有色版データにハーフトーン処理を施し、ＣＭＹＫの２ｂｉｔの有色版データを生成する。具体的には、画像処理部５３８Ｃは、第１取得部５３５Ｃで取得した、ガンマ補正処理及び総量規制処理後の、ＣＭＹＫの８ｂｉｔの有色版データと、第２取得部５３６Ｃで取得した、光沢制御版データと、を読取る。
【０１３５】
次に、画像処理部５３８Ｃは、ガンマ補正処理及び総量規制処理後の、ＣＭＹＫの８ｂｉｔの有色版データにおける、光沢制御版データによって規定される効果領域と重なる重複領域を構成する画素には、該画素に重なる効果領域の表面効果の種類に対応するスクリーンを用いて、ハーフトーン処理を実行する。なお、画像処理部５３８Ｃは、光沢制御版データにおける、有色版データの重複領域を構成する画素と同じ画素位置の画素値（濃度値）によって規定される表面効果の種類に対応するスクリーンを、第２取得部５３６Ｃで取得したテーブルから読取ることによって、効果領域の種類に対応するスクリーンを取得する。
【０１３６】
また、画像処理部５３８Ｃは、ガンマ補正処理及び総量規制処理後の、ＣＭＹＫの８ｂｉｔの有色版データにおける、光沢制御版データによって規定される効果領域と重なる重複領域以外の領域を構成する画素には、記憶部５３７Ｃに記憶されている初期スクリーンを用いて色変換処理を実行する。
【０１３７】
このように、画像処理部５３８Ｃは、ガンマ補正処理及び総量規制処理後の、ＣＭＹＫの８ｂｉｔの有色版データにおける、光沢制御版データによって規定される効果領域と重なる重複領域を構成する画素に対して、該画素に重なる効果領域の種類に対応するスクリーンを用いたハーフトーン処理を実行する。ガンマ補正処理及び総量規制処理後の、ＣＭＹＫの８ｂｉｔの有色版データに色変換処理が施されることで、ＣＭＹＫの各２ｂｉｔの有色版データが得られる。なお、２ｂｉｔは一例であり、これに限定されるものではない。
【０１３８】
画像処理部５３８Ｃは、ハーフトーン処理によって得られたＣＭＹＫの２ｂｉｔの有色版データを、ｓｉ部５５０へ出力する。
【０１３９】
ｓｉ部５５０は、画像データを統合する（ｉｎｔｅｇｒａｔｅ）機能を有する。画像処理部５３８Ｃから、ハーフトーン処理によって得られたＣＭＹＫの２ｂｉｔの有色版データを受け付ける。また、ｓｉ部５５０は、クリアプロセッシング５４０から、２ｂｉｔのクリアトナー版データを受け付ける。
【０１４０】
ｓｉ部５５０は、ＣＭＹＫの各２ｂｉｔの画像データと、クリアプロセッシング５４０が生成した２ｂｉｔのクリアトナー版データと、を統合し、統合した画像データをＭＩＣ６０に出力する。なお、クリアプロセッシング５４０は、プリンタ機７０で用いるクリアトナー版データ及び低温定着機９０で用いるクリアトナー版データのうち少なくとも一方を生成しない場合がある。このため、ｓｉ部５５０は、クリアプロセッシング５４０で生成されたクリアトナー版データとＣＭＹＫの各２ｂｉｔの画像データとを統合する。なお、両方のクリアトナー版データをクリアプロセッシング５４０が生成していない場合には、ｓｉ部５５０は、ＣＭＹＫの２ｂｉｔの画像データをＭＩＣ６０へ出力する。また、ｓｉ部５５０は、クリアプロセッシング５４０が出力したグロッサ８０に対するオンオフ情報もＭＩＣ６０に出力する。
【０１４１】
図１に戻り、ＭＩＣ６０は、ＤＦＥ５０とプリンタ機７０とに接続されている。ＭＩＣ６０は、後処理機として搭載されている装置構成を示す装置構成情報をＤＦＥ５０に出力する。また、ＭＩＣ６０は、有色版データ及びクリアトナー版データを統合した画像データをＤＦＥ５０から受信して各画像データを対応する装置に振り分けるとともに、後処理機の制御を行う。より具体的には、ＭＩＣ６０は、図１０に例示されるように、ＤＦＥ５０から出力された画像データのうち、ＣＭＹＫの有色版データをプリンタ機７０に出力する。また、ＭＩＣ６０は、プリンタ機７０で用いるクリアトナー版データがある場合にはこれもプリンタ機７０に出力する。また、ＭＩＣ６０は、ＤＦＥ５０から出力されたオンオフ情報を用いて、グロッサ８０をオン又はオフにする。また、ＭＩＣ６０は、低温定着機９０で用いるクリアトナー版データがある場合には、これを低温定着機９０に出力する。グロッサ８０は、オンオフ情報によって定着を行う経路と行わない経路とを切り替えても良い。低温定着機９０は、クリアトナー版データの有無によってオン又はオフの切り替えやグロッサ８０と同様の経路の切り替えをしても良い。
【０１４２】
また、図１０に示すように、プリンタ機７０、グロッサ８０、及び低温定着機９０からなる印刷装置３０は、記録媒体を搬送する搬送路を備えている。なお、プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機９０の設けられている位置を、この順に搬送される。そして、これらの機器によって順次処理が行われて画像形成及び表面効果が付与された後に、図示を省略する搬送機構によって搬送路を搬送されて、印刷装置の外部へと排出される。
【０１４３】
このため、ＤＦＥ５０から出力された画像データが、ＣＭＹＫの有色版データ及びクリアトナー版データを含む場合には、該有色版データによって特定される有色画像が記録媒体に有色トナーで形成されると共に、クリアトナー版データによって特定される種類の表面効果がクリアトナーで該記録媒体に付与される。すなわち、記録媒体には、クリアトナー版データに基づいた表面効果が、記録媒体に付与されることとなる。
【０１４４】
次に、本実施の形態に係るＤＦＥ５０が実行する画像処理の手順を説明する。図１１は、色変換部５３１が実行する画像処理の手順を示すフローチャートである。
【０１４５】
まず、第１取得部５３５ＡがＲＧＢ形式等で表現された各８ｂｉｔの有色版データ、及び８ｂｉｔの光沢制御版データをｓｉ部５２０から取得する（ステップＳ６００）。第１取得部５３５Ａは、取得したＲＧＢ形式等で表現された各８ｂｉｔの有色版データ、及び８ｂｉｔの光沢制御版データを、記憶部５３７Ａに記憶する（ステップＳ６０２）。
【０１４６】
次に、第２取得部５３６Ａが、第１Ａテーブルをクリアプロセッシング５４０から取得する（ステップＳ６０４）。第１Ａテーブルは、上述したように、形成対象の記録媒体の種類情報に対応するテーブルであって、表面効果の種類、表面効果の種類に対応する濃度値、及びプロファイル、の対応関係を示すテーブルである。第２取得部５３６Ａは、取得した第１Ａテーブルを記憶部５３７Ａに記憶する（ステップＳ６０６）。
【０１４７】
次に、画像処理部５３８Ａが、ステップＳ６００で取得した、ＲＧＢ形式等で表現された各８ｂｉｔの有色版データを構成する画素毎に、ステップＳ６０８〜ステップＳ６１４の処理を繰り返す。
【０１４８】
まず、画像処理部５３８Ａは、ＲＧＢ形式等で表現された８ｂｉｔの有色版データの処理対象の画素が、光沢制御版データによって規定される効果領域と重なる重複領域を構成する画素であるか否かを判断する（ステップＳ６０８）。画像処理部５３８Ａは、ＲＧＢ形式等で表現された８ｂｉｔの有色版データの処理対象の画素と同じ画素位置の画素を、光沢制御版データから読取り、該画素の画素値（濃度値）に対応する表面効果の種類が有るか否かをテーブルから判別することで、ステップＳ６０８の判断を行う。
【０１４９】
有色版データの処理対象の画素が、重複領域を構成する画素である場合（ステップＳ６０８：Ｙｅｓ）、画像処理部５３８Ａは、光沢制御版データにおける、有色版データの重複領域を構成する該画素と同じ画素位置の画素値（濃度値）によって規定される表面効果の種類に対応するプロファイルを、第２取得部５３６Ａで取得した第１Ａテーブルから読取る（ステップＳ６１０）。
【０１５０】
次に、画像処理部５３８Ａは、有色版データにおける処理対象の画素について、ステップＳ６１０で読取ったプロファイルを用いて色変換処理を実行する（ステップＳ６１２）。
【０１５１】
一方、有色版データの処理対象の画素が、重複領域以外の領域を構成する画素である場合（ステップＳ６０８：Ｎｏ）、ステップＳ６１４へ進む。画像処理部５３８Ａは、記憶部５３７Ａに記憶されている初期プロファイルを読取る（ステップＳ６１４）。
【０１５２】
そして、画像処理部５３８Ａは、有色版データにおける処理対象の画素について、ステップＳ６１４で読取った初期プロファイルを用いて色変換処理を実行する（ステップＳ６１２）。
【０１５３】
ＲＧＢ形式等で表現された８ｂｉｔの有色版データを構成する画素の全てについて、ステップＳ６０８〜ステップＳ６１４の処理を実行することで、ＣＭＹＫの各８ｂｉｔの有色版データが得られる。
【０１５４】
次に、画像処理部５３８Ａは、生成したＣＭＹＫの各８ｂｉｔの有色版データ、及びステップＳ６００で取得した８ｂｉｔの光沢制御版データを、色補正部５３２へ出力し（ステップＳ６１６）、本ルーチンを終了する。
【０１５５】
図１２は、色補正部５３２が実行する画像処理の手順を示すフローチャートである。
【０１５６】
まず、第１取得部５３５Ｂが、色変換部５３１から、ＣＭＹＫの各８ｂｉｔの有色版データ、及び８ｂｉｔの光沢制御版データを取得する（ステップＳ７００）。次に、第１取得部５３５Ｂは、取得したＣＭＹＫの各８ｂｉｔの有色版データ、及び８ｂｉｔの光沢制御版データを、記憶部５３７Ｂに記憶する（ステップＳ７０２）。
【０１５７】
次に、第２取得部５３６Ｂが、第１Ｂテーブルをクリアプロセッシング５４０から取得する（ステップＳ７０４）。第１Ｂテーブルは、上述したように、形成対象の記録媒体の種類情報に対応するテーブルであって、表面効果の種類、表面効果の種類に対応する濃度値、及び画像処理としてのガンマ補正処理及び総量規制処理に用いるパラメータであるガンマ補正値及び総量規制値、の対応関係を示すテーブルである。第２取得部５３６Ｂは、取得した第１Ｂテーブルを記憶部５３７Ｂに記憶する（ステップＳ７０６）。
【０１５８】
次に、画像処理部５３８Ｂが、ステップＳ７００で取得した、ＣＭＹＫの各８ｂｉｔの有色版データを構成する画素毎に、ステップＳ７０８〜ステップＳ７１４の処理を繰り返す。
【０１５９】
まず、画像処理部５３８Ｂは、ＣＭＹＫの８ｂｉｔの有色版データの処理対象の画素が、光沢制御版データによって規定される効果領域と重なる重複領域を構成する画素であるか否かを判断する（ステップＳ７０８）。ステップＳ７０８の判断は、ステップＳ６０８（図１１参照）と同様にして行う。
【０１６０】
有色版データの処理対象の画素が、重複領域を構成する画素である場合（ステップＳ７０８：Ｙｅｓ）、画像処理部５３８Ｂは、光沢制御版データにおける、有色版データの重複領域を構成する該画素と同じ画素位置の画素値（濃度値）によって規定される表面効果の種類に対応するパラメータ（ガンマ補正値及び総量規制値）を、第２取得部５３６Ｂで取得した第１Ｂテーブルから読取る（ステップＳ７１０）。
【０１６１】
次に、画像処理部５３８Ｂは、有色版データにおける処理対象の画素について、ステップＳ７１０で読取ったガンマ補正値を用いたガンマ補正処理を行った後に、ステップＳ７１０で読取った総量規制値を用いて総量規制処理を実行する（ステップＳ７１２）。
【０１６２】
一方、有色版データの処理対象の画素が、重複領域以外の領域を構成する画素である場合（ステップＳ７０８：Ｎｏ）、ステップＳ７１４へ進む。画像処理部５３８Ｂは、記憶部５３７Ｂに記憶されている初期パラメータ（初期総量規制値、初期ガンマ補正値）を読取る（ステップＳ７１４）。
【０１６３】
そして、画像処理部５３８Ｂは、有色版データにおける処理対象の画素について、ステップＳ７１４で読取った初期パラメータを用いて、ガンマ補正処理を行った後に、総量規制処理を実行する（ステップＳ７１２）。
【０１６４】
ＣＭＹＫの８ｂｉｔの有色版データを構成する画素の全てについて、ステップＳ７０８〜ステップＳ７１４の処理を実行することで、ガンマ補正処理及び総量規制処理を施したＣＭＹＫの各８ｂｉｔの有色版データが得られる。
【０１６５】
次に、画像処理部５３８Ｂは、ガンマ補正処理及び総量規制処理を施したＣＭＹＫの各８ｂｉｔの有色版データと、ステップＳ７００で取得した光沢制御版データと、を、ｓｉ部５３４へ出力する（ステップＳ７１６）。また、画像処理部５３８Ｂは、ガンマ補正処理及び総量規制処理を施したＣＭＹＫの各８ｂｉｔの有色版データを、クリアプロセッシング５４０へ出力する（ステップＳ７１６）。そして、本ルーチンを終了する。
【０１６６】
図１３は、ハーフトーン処理部５３３が実行する画像処理の手順を示すフローチャートである。
【０１６７】
まず、第１取得部５３５Ｃが、ｓｉ部５３４から、ガンマ補正処理及び総量規制処理を施したＣＭＹＫの各８ｂｉｔの有色版データ、及び８ｂｉｔの光沢制御版データを取得する（ステップＳ８００）。次に、第１取得部５３５Ｃは、取得したＣＭＹＫの各８ｂｉｔの有色版データ、及び８ｂｉｔの光沢制御版データを、記憶部５３７Ｃに記憶する（ステップＳ８０２）。
【０１６８】
次に、第２取得部５３６Ｃが、第１Ｃテーブルをクリアプロセッシング５４０から取得する（ステップＳ８０４）。第１Ｃテーブルは、上述したように、形成対象の記録媒体の種類情報に対応するテーブルであって、表面効果の種類、表面効果の種類に対応する濃度値、及びスクリーン、の対応関係を示すテーブルである。第２取得部５３６Ｃは、取得した第１Ｃテーブルを記憶部５３７Ｃに記憶する（ステップＳ８０６）。
【０１６９】
次に、画像処理部５３８Ｃが、ステップＳ８００で取得した、ＣＭＹＫの各８ｂｉｔの有色版データを構成する画素毎に、ステップＳ８０８〜ステップＳ８１４の処理を繰り返す。
【０１７０】
まず、画像処理部５３８Ｃは、ＣＭＹＫの８ｂｉｔの有色版データの処理対象の画素が、光沢制御版データによって規定される効果領域と重なる重複領域を構成する画素であるか否かを判断する（ステップＳ８０８）。ステップＳ８０８の判断は、ステップＳ６０８（図１１参照）と同様にして行う。
【０１７１】
有色版データの処理対象の画素が、重複領域を構成する画素である場合（ステップＳ８０８：Ｙｅｓ）、画像処理部５３８Ｃは、光沢制御版データにおける、有色版データの重複領域を構成する該画素と同じ画素位置の画素値（濃度値）によって規定される表面効果の種類に対応するスクリーンを、第２取得部５３６Ｃで取得した第１Ｃテーブルから読取る（ステップＳ８１０）。
【０１７２】
次に、画像処理部５３８Ｃは、有色版データにおける処理対象の画素について、ステップＳ８１０で読取ったスクリーンを用いてハーフトーン処理を行う（ステップＳ８１２）。
【０１７３】
一方、有色版データの処理対象の画素が、重複領域以外の領域を構成する画素である場合（ステップＳ８０８：Ｎｏ）、ステップＳ８１４へ進む。画像処理部５３８Ｃは、記憶部５３７Ｃに記憶されている初期スクリーンを読取る（ステップＳ８１４）。
【０１７４】
そして、画像処理部５３８Ｃは、有色版データにおける処理対象の画素について、ステップＳ８１４で読取った初期スクリーンを用いて、ハーフトーン処理を行う（ステップＳ８１２）。
【０１７５】
ＣＭＹＫの８ｂｉｔの有色版データを構成する画素の全てについて、ステップＳ８０８〜ステップＳ８１４の処理を実行することで、ＣＭＹＫの各２ｂｉｔの有色版データが得られる。
【０１７６】
次に、画像処理部５３８Ｃは、ＣＭＹＫの各２ｂｉｔの有色版データを、ｓｉ部５５０へ出力する（ステップＳ８１６）。そして、本ルーチンを終了する。
【０１７７】
以上説明したように、本実施の形態では、有色画像処理部５３０は、第１取得部５３５と、第２取得部５３６と、記憶部５３７と、画像処理部５３８と、を備える。
【０１７８】
第１取得部５３５は、有色版データと、光沢制御版データと、を取得する。第２取得部５３６は、クリアプロセッシング５４０からテーブルを取得する。このテーブルは、上述したように、表面効果の種類、表面効果の種類に対応する濃度値、及び有色版データに施す画像処理に用いるパラメータの対応関係を少なくとも規定したテーブルである。テーブルに規定されているパラメータの値は、有色版データにおける、表面効果を与える効果領域と重なる重複領域の色が、表面効果の種類に拘らず、効果領域と重ならない場合と同じ色味を実現可能となるように、表面効果の種類（表面効果の種類に対応する濃度値）毎に予め定められている。
【０１７９】
画像処理部５３８は、有色版データにおける、光沢制御版データによって規定される表面効果を与える効果領域と重なる重複領域を構成する画素には、該画素に重なる効果領域の表面効果の種類に対応するパラメータを用いて画像処理を行う。また、画像処理部５３８は、有色版データにおける、重複領域以外の領域を構成する画素には、予め定めた初期パラメータを用いて画像処理を行う。
【０１８０】
このように、本実施の形態では、表面効果を与える効果領域の種類に応じたパラメータを用いて、有色版データにおける該効果領域に重なる重複領域を構成する画素の濃度値を調整する。このため、表面効果を与える効果領域毎に、有色版データによって実現される有色の色味を調整することができる。
【０１８１】
従って、本実施の形態では、画像品質の向上を図ることができる。
【０１８２】
また、本実施の形態では、有色画像処理部５３０は、形成対象の記録媒体の種類情報に対応するテーブルを取得し、このテーブルを用いて、有色版データに上記画像処理を実行する。
【０１８３】
このように、記録媒体の種類に応じたパラメータを用いて、有色版データに対して画像処理を行うので、上記効果に加えて更に、画像品質の向上を図ることができる。
【０１８４】
また、有色版データの画像処理に用いるテーブルに規定されているプロファイルは、クリアトナーの濃度によって、重ねて付与される有色トナーの色味が変動しないように、クリアトナーの濃度値（すなわち、表面効果の種類）に対応して設定されたプロファイルである。
【０１８５】
このため、有色画像処理部５３０は、表面効果の種類に応じて、適切なプロファイルを用いた色変換処理を実行することができる。従って、上記効果に加えて、更に画質向上を図ることができる。
【０１８６】
また、テーブルは、重ねて付与しても有色トナーの色味に影響を与えない程度に低い、クリアトナーの濃度値には、初期設定値として、予め定めた初期パラメータとしての初期プロファイルを対応づけている。この初期プロファイルは、表面効果を与える効果領域と重なる重複領域以外の領域を構成する画素の色変換処理に用いるプロファイルである。
【０１８７】
このため、有色画像処理部５３０は、表面効果の種類に応じて、適切なプロファイルを用いた色変換処理を実行することができる。従って、上記効果に加えて、更に画質向上を図ることができる。
【０１８８】
また、テーブルは、クリアトナーの濃度値が大きいほど、網点の密度が高くなるように、表面効果の種類（クリアトナーの濃度値）に応じて、ハーフトーン処理に用いるスクリーン（スクリーン線数、網点の大きさ、スクリーン角度、網点形状等）を定めている。
【０１８９】
また、テーブルは、重ねて付与しても有色トナーの色味に影響を与えない程度に低い、クリアトナーの濃度値には、初期設定値として、予め定めた初期パラメータとしての初期スクリーンを対応づけている。この初期スクリーンは、表面効果を与える効果領域と重なる重複領域以外の領域を構成する画素のスクリーン処理に用いるスクリーンである。
【０１９０】
このため、有色画像処理部５３０は、表面効果の種類に応じて、適切なスクリーンを用いたハーフトーン処理を実行することができる。従って、上記効果に加えて、更に画質向上を図ることができる。
【０１９１】
また、テーブルは、クリアトナーの濃度値が大きいほど、ガンマ補正値が大きくなるように、表面効果の種類（クリアトナーの濃度値）に応じて、ガンマ補正値を定めている。また、テーブルは、重ねて付与しても有色トナーの色味に影響を与えない程度に低い、クリアトナーの濃度値には、初期設定値として、予め定めた初期パラメータとしての初期ガンマ補正値を対応づけている。
【０１９２】
また、テーブルは、クリアトナーの濃度値が大きいほど、総量規制値が大きくなるように、表面効果の種類（クリアトナーの濃度値）に応じて、総量規制値を定めている。また、テーブルは、重ねて付与しても有色トナーの色味に影響を与えない程度に低い、クリアトナーの濃度値には、初期設定値として、予め定めた初期パラメータとしての初期総量規制値を対応づけている。
【０１９３】
このため、有色画像処理部５３０は、表面効果の種類に応じて、適切なガンマ補正値及び総量規制値を用いた画像処理（ガンマ補正処理、総量規制処理）を実行することができる。従って、上記効果に加えて、更に画質向上を図ることができる。また、クリアトナーの濃度値が小さいほど、総量規制値が小さくなるように、総量規制値が定められているので、トナーの使用量の節約を図ることができる。
【０１９４】
なお、記憶部５４０Ｅ（図８参照）に記憶されているテーブルに規定された、各パラメータの値は、ユーザによる入力部５８の操作指示等によって適宜変更可能である。また、記憶部５４０Ｅ（図８参照）に記憶されているテーブルは、ＤＦＥ５０の外部に設けられた各種記憶媒体や記憶装置等へ記憶したり、外部装置へと送信することも可能である。これにより、異なるＤＦＥ５０間で、同じテーブルを共有することが出来る。
【０１９５】
なお、本実施の形態では、ＤＦＥ５０にクリアプロセッシング５４０及び有色画像処理部５３０を設け、クリアトナー版データの作成、及び有色版データに対する画像処理を行うように構成したが、これに限定されない。
【０１９６】
すなわち、一の装置で行っていた複数の処理のいずれかを、一の装置とネットワークを介して接続する１以上の他の装置で行う構成にしてもよい。例えば、ＤＦＥ５０の機能の一部を、クラウド上のサーバ装置上に実装してもよい。また、クラウド上に２以上のサーバ装置を設け、上記各処理を、２以上のサーバ装置で分散させて実行するように構成してもよい。
【０１９７】
上述した実施の形態のホスト装置１０、及びＤＦＥ５０のハードウェア構成について説明する。図１４は、ホスト装置１０、及びＤＦＥ５０のハードウェア構成図である。ホスト装置１０、及びＤＦＥ５０は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０１９８】
上記実施の形態のホスト装置１０、及びＤＦＥ５０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０１９９】
また、上記実施の形態のホスト装置１０、及びＤＦＥ５０で実行されるプログラムを、インターネット等のネットワークに接続されたコンピュータ上に格納し、ネットワーク経由でダウンロードさせることにより提供するように構成しても良い。また、上記実施の形態のホスト装置１０、及びＤＦＥ５０で実行されるプログラムをインターネット等のネットワーク経由で提供または配布するように構成しても良い。
【０２００】
また、上記実施の形態のホスト装置１０、及びＤＦＥ５０で実行されるプログラムを、ＲＯＭ等に予め組み込んで提供するように構成してもよい。
【０２０１】
上記実施の形態のホスト装置１０、及びＤＦＥ５０で実行されるプログラムは、上述した各部を含むモジュール構成となっており、実際のハードウェアとしてはＣＰＵ（プロセッサ）が上記記憶媒体からプログラムを読み出して実行することにより上記各部が主記憶装置上にロードされ、上記各部が主記憶装置上に生成されるようになっている。
【０２０２】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０２０３】
上述した実施の形態において、情報処理システムは、ホスト装置１０、ＤＦＥ５０、ＭＩＣ６０、プリンタ機７０、グロッサ８０及び低温定着機９０を備えるように構成したが、これに限らない。例えば、ＤＦＥ５０、ＭＩＣ６０及びプリンタ機７０を一体的に形成して１つの画像形成装置として構成するようにしても良いし、更に、グロッサ８０及び低温定着機９０を備えた画像形成装置として形成するようにしても良い。
【０２０４】
上述した実施の形態の情報処理システムにおいては、ＣＭＹＫの複数の色のトナーを用いて画像を形成するようにしたが、１色のトナーを用いて画像を形成するようにしても良い。
【０２０５】
なお、上述した実施の形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０２０６】
５０  ＤＦＥ
５３０  有色画像処理部
５３１  色変換部
５３２  色補正部
５３３  ハーフトーン処理部
５３５、５３５Ａ、５３５Ｂ、５３５Ｃ  第１取得部
５３６、５３６Ａ、５３６Ｂ、５３６Ｃ  第２取得部
５３８、５３８Ａ、５３８Ｂ、５３８Ｃ  画像処理部
５４０  クリアプロセッシング
【先行技術文献】
【特許文献】
【０２０７】
【特許文献１】特開２０１１−１５０１５８号公報
【特許文献２】特開２００８−２７６０５６号公報
【図１】
2015094826.tif 000003
【図２】
2015094826.tif 000004
【図３】
2015094826.tif 000005
【図４】
2015094826.tif 000006
【図５】
2015094826.tif 000007
【図６】
2015094826.tif 000008
【図７】
2015094826.tif 000009
【図８】
2015094826.tif 000010
【図９】
2015094826.tif 000011
【図１０】
2015094826.tif 000012
【図１１】
2015094826.tif 000013
【図１２】
2015094826.tif 000014
【図１３】
2015094826.tif 000015
【図１４】
2015094826.tif 000016